(57)【特許請求の範囲】
【請求項１】
携帯端末のオーディオインターフェイスと整合するための方法であって、前記携帯端末のオーディオインターフェイスは第一端子、第二端子及び第三端子を含み、前記第一端子はマイク端子とグランド端子の中の一方であり、前記第二端子はマイク端子とグランド端子の中の他方であり、前記第三端子はシングルチャンネルのオーディオ出力端子又はマルチチャンネルのオーディオ出力端子の一方であり、
電流の方向が前記第一端子に流れる第一の一方向導通モジュールを含む第一回路を介して、前記第三端子を前記第一端子に接続するステップと、
電流の方向が前記第二端子に流れる第二の一方向導通モジュールを含む第二回路を介して、前記第三端子を前記第二端子に接続するステップと、
前記第三端子と前記第一端子とで携帯端末の識別抵抗と整合するインピーダンスを有する第一回線を形成するように、前記第一の一方向導通モジュールをオンにするステップと、
前記第三端子と前記第二端子とで携帯端末の識別抵抗と整合するインピーダンスを有する第二回線を形成するように、前記第二の一方向導通モジュールをオンにするステップと
を含む方法。
【請求項２】
前記第三端子を第一整合回路を介して前記第一回路と第二回路とにそれぞれ接続するステップと、
前記第三端子と前記第一端子とで携帯端末の識別抵抗と整合するインピーダンスを有する第三回線を形成するように、前記第一の一方向導通モジュールをオンにするステップと、
前記第三端子と前記第二端子とで携帯端末の識別抵抗と整合するインピーダンスを有する第四回線を形成するように、前記第二の一方向導通モジュールをオンにするステップと
を更に含むことを特徴とする請求項１に記載の方法。
【請求項３】
前記オーディオインターフェイスはさらにマルチチャンネルのオーディオ出力端子の他方である第四端子を含み、
電流の方向が前記第一端子に流れる第三の一方向導通モジュールを含む第三回路を介して、前記第四端子を前記第一端子に接続するステップと、
電流の方向が前記第二端子に流れる第四の一方向導通モジュールを含む第四回路を介して、前記第四端子を前記第二端子に接続するステップと、
前記第四端子と前記第一端子とで携帯端末の識別抵抗と整合するインピーダンスを有する第五回線を形成するように、前記第三の一方向導通モジュールをオンにするステップと、
前記第四端子と前記第二端子とで携帯端末の識別抵抗と整合するインピーダンスを有する第六回線を形成するように、前記第四の一方向導通モジュールをオンにするステップと
を更に含むことを特徴とする請求項１に記載の方法。
【請求項４】
前記オーディオインターフェイスはさらにマルチチャンネルのオーディオ出力端子の中の他方である第四端子を含み、
前記第四端子を第二整合回路を介して、前記第一回路と第二回路とにそれぞれ接続するステップと、
前記第四端子と前記第一端子とで携帯端末の識別抵抗と整合するインピーダンスを有する第七回線を、前記第三端子と前記第一端子とで携帯端末の識別抵抗と整合するインピーダンスを有する第八回線をそれぞれ形成するように、前記第一の一方向導通モジュールをオンにするステップと、
前記第四端子と前記第二端子とで携帯端末の識別抵抗と整合するインピーダンスを有する第九回線を、前記第三端子と前記第二端子とで携帯端末の識別抵抗と整合するインピーダンスを有する第十回線をそれぞれ形成するように、前記第二の一方向導通モジュールをオンにするステップと、
を更に含むことを特徴とする請求項２に記載の方法。
【請求項５】
前記第一整合回路及び前記第二整合回路は抵抗、スピーカー、変圧器、並列の抵抗および比較器または並列の抵抗および演算増幅器を含む
ことを特徴とする請求項４に記載の方法。
【請求項６】
前記第一〜第四の一方向導通モジュールはダイオード、トランジスター又はMOS型トランジスタを含む
ことを特徴とする請求項３に記載の方法。
【請求項７】
前記第一回路は第一の一方向導通モジュールに接続する第一整合モジュールをさらに含み、前記第二回路は前記第二の一方向導通モジュールに接続する第二整合モジュールをさらに含み、前記第三回路は前記第三の一方向導通モジュールに接続する第三整合モジュールをさらに含み、前記第四回路は前記第四の一方向導通モジュールに接続する第四整合モジュールをさらに含む
ことを特徴とする請求項３に記載の方法。
【請求項８】
前記第一〜第四整合モジュールは抵抗、スピーカー、変圧器、並列の抵抗および比較器または並列の抵抗および演算増幅器を含む
ことを特徴とする請求項７に記載の方法。
【請求項９】
前記オーディオインターフェイスにおける第一端子と第二端子との間に双方向導通部品を介して接続される
ことを特徴とする請求項１〜８のいずれか１項に記載の方法。
【請求項１０】
携帯端末のオーディオインターフェイスと整合するための装置であって、前記携帯端末のオーディオインターフェイスは第一端子、第二端子及び第三端子とを含み、前記第一端子はマイク端子とグランド端子の一方であり、前記第二端子はマイク端子とグランド端子の他方であり、前記第三端子はシングルチャンネルのオーディオ出力端子又はマルチチャンネルのオーディオ出力端子の一方であり、
第一の一方向導通モジュールを有し、前記第三端子と前記第一端子とを接続する第一回路と、
第二の一方向導通モジュールを有し、前記第三端子と前記第二端子とを接続する第二回路とを備え、
前記第一の一方向導通モジュールの電流の方向は前記第一端子へと流れ、前記第二の一方向導通モジュールの電流の方向は前記第二端子へと流れ、
前記第一の一方向導通モジュールをオンにするとき、前記第三端子と前記第一端子とで携帯端末の識別抵抗と整合するインピーダンスを有する第一回線を形成し、前記第二の一方向導通モジュールをオンにするとき、前記第三端子と前記第二端子とで携帯端末の識別抵抗と整合するインピーダンスを有する第二回線を形成する
ように構成されている装置。
【請求項１１】
前記第三端子を前記第一、第二回路にそれぞれ接続する第一整合回路をさらに備え、
前記第一の一方向導通モジュールをオンにするとき、前記第三端子と前記第一端子とで携帯端末の識別抵抗と整合するインピーダンスを有する第三回線を形成し、前記第二の一方向導通モジュールをオンにするとき、前記第三端子と前記第二端子とで携帯端末の識別抵抗と整合するインピーダンスを有する第四回線を形成するように構成されている
ことを特徴とする請求項１０に記載の装置。
【請求項１２】
前記オーディオインターフェイスはさらにマルチチャンネルのオーディオ出力端子の他方である第四端子を含み、
第三の一方向導通モジュールを有し、前記第四端子と前記第一端子とを接続する第三回路と、
第四の一方向導通モジュールを有し、前記第四端子と前記第二端子とを接続する第四回路とをさらに備え、
前記第三の一方向導通モジュールの電流の方向は前記第一端子へと流れ、前記第四の一方向導通モジュールの電流の方向は前記第二端子へと流れ、
前記第三の一方向導通モジュールをオンにするとき、前記第四端子と前記第一端子とで携帯端末の識別抵抗と整合するインピーダンスを有する第五回線を形成し、前記第四の一方向導通モジュールをオンにするとき、前記第四端子と前記第二端子とで携帯端末の識別抵抗と整合するインピーダンスを有する第六回線を形成するように構成されている
ことを特徴とする請求項１０に記載の装置。
【請求項１３】
前記オーディオインターフェイスはさらにマルチチャンネルのオーディオ出力端子の他方である第四端子を含み、
前記第四端子を前記第一、第二回路にそれぞれ接続する第二整合回路をさらに備え、
前記第一の一方向導通モジュールをオンにするとき、前記第四端子と前記第一端子とで携帯端末の識別抵抗と整合するインピーダンスを有する第七回線を、前記第三端子と前記第一端子とで携帯端末の識別抵抗と整合するインピーダンスを有する第八回線をそれぞれ形成し、前記第二の一方向導通モジュールをオンにするとき、前記第四端子と前記第二端子とで携帯端末の識別抵抗と整合するインピーダンスを有する第九回線を、前記第三端子と前記第二端子とで携帯端末の識別抵抗と整合するインピーダンスを有する第十回線をそれぞれ形成するように、構成されている
ことを特徴とする請求項１１に記載の装置。
【請求項１４】
前記第一整合回路及び前記第二整合回路は抵抗、スピーカー、変圧器、並列の抵抗および比較器または並列の抵抗および演算増幅器を含む
ことを特徴とする請求項１３に記載の装置。
【請求項１５】
前記第一〜第四の一方向導通モジュールはダイオード、トランジスター又はMOS型トランジスタを含む
ことを特徴とする請求項１２に記載の装置。
【請求項１６】
前記第一回路は第一の一方向導通モジュールに接続する第一整合モジュールをさらに含み、前記第二回路は前記第二の一方向導通モジュールに接続する第二整合モジュールをさらに含み、前記第三回路は前記第三の一方向導通モジュールに接続する第三整合モジュールをさらに含み、前記第四回路は前記第四の一方向導通モジュールに接続する第四整合モジュールをさらに含む
ことを特徴とする請求項１２に記載の装置。
【請求項１７】
前記第一〜第四整合モジュールは抵抗、スピーカー、変圧器、並列の抵抗および比較器または並列の抵抗および演算増幅器を含む
ことを特徴とする請求項１６に記載の装置。
【請求項１８】
前記オーディオインターフェイスにおける第一端子と第二端子との間に双方向導通部品を介して接続される
ことを特徴とする請求項１０〜１７のいずれか１項に記載の装置。
【請求項１９】
前記携帯端末は携帯電話であることを特徴とする請求項１０〜１８のいずれか１項に記載の装置。
【請求項２０】
請求項１０〜１９のいずれか１項に記載の携帯端末のオーディオインターフェイスと整合するための装置を含むことを特徴とする電子署名キー。
【発明の詳細な説明】
【技術分野】
【０００１】
本発明は電子技術分野に関し、特に携帯端末のオーディオインターフェイスと整合するための方法、装置及び電子署名キーに関する。
【背景技術】
【０００２】
従来のオーディオ信号送信装置（例えば、携帯端末）のオーディオインターフェイス（例えば、イヤホンジャック）及びオーディオ信号受信装置（例えば、イヤホン）のオーディオインターフェイスは通常シングルチャンネル又はマルチチャンネルを介してオーディオ信号を伝送し、第三端子をシングルチャンネルのオーディオ出力端子とし、第三端子及び第四端子をマルチチャンネルのオーディオ出力端子とし、所謂左チャンネル端子と右チャンネル端子である。しかし、オーディオインターフェイスの相違によって第一端子と第二端子の機能は異なり、第一端子はマイク端子MICであり、第二端子はグランド端子GNDであり、および第一端子はグランド端子GNDであり、第二端子はマイク端子MICであるという二つのタイプのオーディオインターフェイスが存在する。
【０００３】
上記の異なるタイプのオーディオインターフェイスがあるため、オーディオ信号送信装置（例えば、携帯端末）のオーディオインターフェイスはオーディオ信号受信装置（例えば、イヤホン、ヘッドセット、電子署名キー等）のオーディオインターフェイスと整合できない場合、オーディオ信号送信装置とオーディオ受信装置の間にオーディオインターフェイスのマイク端子を介し通信することができないだけではなく、オーディオインターフェイスのオーディオ出力端子（左チャンネル端子と右チャンネル端子）を用いてオーディオ信号を伝送することもできない。
【０００４】
モバイルインターネットテクノロジーの更なる進歩に伴い、携帯端末の機能も一層強くなり、モバイル決済もますます必要になってくる。しかし、携帯端末の体積が小さく、外部とのインターフェイスが非常に少ないため、電子署名キーと携帯端末との接続をいかに実現するかは解決すべき課題である。特に、携帯端末において異なる種類のオーディオインターフェイスが存在し、これも携帯端末と電子署名キーとのスムースな接続の障害となる。特に、携帯端末におけるオーディオインターフェイスのタイプが一様ではないため、携帯端末におけるオーディオインターフェイスに差し込んでも、識別できないことがあり、電子署名キーとオーディオインターフェイスとの間に通常な通信を行うことができない。
【発明の概要】
【発明が解決しようとする課題】
【０００５】
本発明は、少なくとも上記の技術課題の一つを解決することを目的とする。
このため、本発明は携帯端末のオーディオインターフェイスと整合するための方法を提供することを一つの目的とする。
本発明は携帯端末のオーディオインターフェイスと整合するための装置を提供することを別の目的とする。
本発明は電子署名キーを提供することをさらに別の目的とする。
【課題を解決するための手段】
【０００６】
上記の課題を解決するため、本発明の第１の形態は、携帯端末のオーディオインターフェイスと整合するための方法を提供できる。本発明の携帯端末のオーディオインターフェイスと整合するための方法は、前記携帯端末のオーディオインターフェイスは第一端子、第二端子及び第三端子を含み、前記第一端子はマイク端子とグランド端子の中の一方であり、前記第二端子はマイク端子とグランド端子の中の他方であり、前記第三端子はシングルチャンネルのオーディオ出力端子又はマルチチャンネルのオーディオ出力端子の一方であり、電流の方向が前記第一端子に流れる第一の一方向導通モジュールを含む第一回路を介して、前記第三端子を前記第一端子に接続するステップと、電流の方向が前記第二端子に流れる第二の一方向導通モジュールを含む第二回路を介して、前記第三端子を前記第二端子に接続するステップと、前記第三端子と前記第一端子とで携帯端末の識別抵抗と整合するインピーダンスを有する第一回線を形成するように、前記第一の一方向導通モジュールをオンにするステップと、前記第三端子と前記第二端子とで携帯端末の識別抵抗と整合するインピーダンスを有する第二回線を形成するように、前記第二の一方向導通モジュールをオンにするステップとを含む。
【０００７】
また、前記方法は前記第三端子を第一整合回路を介して前記第一回路と第二回路とにそれぞれ接続するステップと、前記第三端子と前記第一端子とで携帯端末の識別抵抗と整合するインピーダンスを有する第三回線を形成するように、前記第一の一方向導通モジュールをオンにするステップと、前記第三端子と前記第二端子とで携帯端末の識別抵抗と整合するインピーダンスを有する第四回線を形成するように、前記第二の一方向導通モジュールをオンにするステップとを更に含む。
【０００８】
また、前記オーディオインターフェイスはさらにマルチチャンネルのオーディオ出力端子の他方である第四端子を含み、前記方法は、電流の方向が前記第一端子に流れる第三の一方向導通モジュールを含む第三回路を介して、前記第四端子を前記第一端子に接続するステップと、電流の方向が前記第二端子に流れる第四の一方向導通モジュールを含む第四回路を介して、前記第四端子を前記第二端子に接続するステップと、前記第四端子と前記第一端子とで携帯端末の識別抵抗と整合するインピーダンスを有する第五回線を形成するように、前記第三の一方向導通モジュールをオンにするステップと、前記第四端子と前記第二端子とで携帯端末の識別抵抗と整合するインピーダンスを有する第六回線を形成するように、前記第四の一方向導通モジュールをオンにするステップとを更に含む。
【０００９】
また、前記オーディオインターフェイスはさらにマルチチャンネルのオーディオ出力端子の中の他方である第四端子を含み、前記方法は、前記第四端子を前記第二整合回路を介して、前記第一回路と第二回路とにそれぞれ接続するステップと、前記第四端子と前記第一端子とで携帯端末の識別抵抗と整合するインピーダンスを有する第七回線を、前記第三端子と前記第一端子とで携帯端末の識別抵抗と整合するインピーダンスを有する第八回線をそれぞれ形成するように、前記第一の一方向導通モジュールをオンにするステップと、前記第四端子と前記第二端子とで携帯端末の識別抵抗と整合するインピーダンスを有する第九回線を、前記第三端子と前記第二端子とで携帯端末の識別抵抗と整合するインピーダンスを有する第十回線をそれぞれ形成するように、前記第二の一方向導通モジュールをオンにするステップと、を更に含む。
【００１０】
前記第一整合回路及び前記第二整合回路は抵抗、スピーカー、変圧器、並列の抵抗および比較器または並列の抵抗および演算増幅器を含む。
【００１１】
前記第一〜第四の一方向導通モジュールはダイオード、トランジスター又はMOS型トランジスタを含む。
【００１２】
前記第一回路は第一の一方向導通モジュールに接続する第一整合モジュールをさらに含み、前記第二回路は前記第二の一方向導通モジュールに接続する第二整合モジュールをさらに含み、前記第三回路は前記第三の一方向導通モジュールに接続する第三整合モジュールをさらに含み、前記第四回路は前記第四の一方向導通モジュールに接続するする第四整合モジュールをさらに含む。
【００１３】
前記第一〜第四整合モジュールは抵抗、スピーカー、変圧器、並列の抵抗および比較器または並列の抵抗および演算増幅器を含む。
【００１４】
また、前記オーディオインターフェイスにおける第一端子と第二端子との間に双方向導通部品を介して接続される。
【００１５】
本発明の第２の形態は、携帯端末のオーディオインターフェイスと整合するための装置を提供する。前記装置は第一端子、第二端子及び第三端子と備えるオーディオインターフェイスを含み、前記第三端子はシングルチャンネルのオーディオ出力端子またはマルチチャンネルのオーディオ出力端子のいずれかであり、前記第一端子はマイク端子とグランド端子の一方であり、前記第二端子はマイク端子とグランド端子の他方である。前記装置は、第一の一方向導通モジュールを有し、前記第三端子と前記第一端子とを接続する第一回路と、第二の一方向導通モジュールを有し、前記第三端子と前記第二端子とを接続する第二回路とを備え、前記第一の一方向導通モジュールの電流の方向は前記第一端子へと流れ、前記第二の一方向導通モジュールの電流の方向は前記第二端子へと流れ、前記第一の一方向導通モジュールをオンにするとき、前記第三端子と前記第一端子とで携帯端末の識別抵抗と整合するインピーダンスを有する第一回線を形成し、前記第二の一方向導通モジュールをオンにするとき、前記第三端子と前記第二端子とで携帯端末の識別抵抗と整合するインピーダンスを有する第二回線を形成するように構成されている。
【００１６】
また、前記装置は前記第三端子を前記第一、第二回路にそれぞれ接続する第一整合回路をさらに備え、前記第一の一方向導通モジュールをオンにするとき、前記第三端子と前記第一端子とで携帯端末の識別抵抗と整合するインピーダンスを有する第三回線を形成し、前記第二の一方向導通モジュールをオンにするとき、前記第三端子と前記第二端子とで携帯端末の識別抵抗と整合するインピーダンスを有する第四回線を形成するように構成されている。
【００１７】
また、前記オーディオインターフェイスはさらにマルチチャンネルのオーディオ出力端子の他方である第四端子を含み、前記装置は、第三の一方向導通モジュールを有し、前記第四端子と前記第一端子とを接続する第三回路と、第四の一方向導通モジュールを有し、前記第四端子と前記第二端子とを接続する第四回路とをさらに備え、前記第三の一方向導通モジュールの電流の方向は前記第一端子へと流れ、前記第四の一方向導通モジュールの電流の方向は前記第二端子へと流れ、前記第三の一方向導通モジュールをオンにするとき、前記第四端子と前記第一端子とで携帯端末の識別抵抗と整合するインピーダンスを有する第五回線を形成し、前記第四の一方向導通モジュールをオンにするとき、前記第四端子と前記第二端子とで携帯端末の識別抵抗と整合するインピーダンスを有する第六回線を形成するように構成されている。
【００１８】
また、前記オーディオインターフェイスはさらにマルチチャンネルのオーディオ出力端子の他方である第四端子を含み、前記装置は、前記第四端子を前記第一、第二回路にそれぞれ接続する第二整合回路をさらに備え、前記第一の一方向導通モジュールをオンにするとき、前記第四端子と前記第一端子とで携帯端末の識別抵抗と整合するインピーダンスを有する第七回線を、前記第三端子と前記第一端子とで携帯端末の識別抵抗と整合するインピーダンスを有する第八回線をそれぞれ形成し、前記第二の一方向導通モジュールをオンにするとき、前記第四端子と前記第二端子とで携帯端末の識別抵抗と整合するインピーダンスを有する第九回線を、前記第三端子と前記第二端子とで携帯端末の識別抵抗と整合するインピーダンスを有する第十回線をそれぞれ形成するように、構成されている。
【００１９】
また、前記第一整合回路及び前記第二整合回路は抵抗、スピーカー、変圧器、並列の抵抗および比較器または並列の抵抗および演算増幅器を含む。
【００２０】
また、前記第一〜第四の一方向導通モジュールはダイオード、トランジスター又はMOS型トランジスタを含む。
【００２１】
また、前記第一回路は第一の一方向導通モジュールに接続する第一整合モジュールをさらに含み、前記第二回路は前記第二の一方向導通モジュールに接続する第二整合モジュールをさらに含み、前記第三回路は前記第三の一方向導通モジュールに接続する第三整合モジュールをさらに含み、前記第四回路は前記第四の一方向導通モジュールに接続するする第四整合モジュールをさらに含む。
【００２２】
また、前記第一〜第四整合モジュールは抵抗、スピーカー、変圧器、並列の抵抗および比較器または並列の抵抗および演算増幅器を含む。
【００２３】
また、前記オーディオインターフェイスにおける第一端子と第二端子との間に双方向導通部品を介して接続される。
【００２４】
本発明の第三実施形態は上記携帯端末のオーディオインターフェイスと整合するための装置を含む電子署名キーを提供する。
【００２５】
本発明による携帯端末のオーディオインターフェイスと整合するための方法、装置及び電子署名キーによれば、オーディオインターフェイスにおけるオーディオ出力端子（シングルチャンネルの端子、マルチチャンネルの左チャンネル端子及び/又は右チャンネル端子）とグランド端子との間の回線抵抗を携帯端末の識別抵抗と整合させることができ、携帯端末がオーディオ信号をオーディオ信号受信機へ伝送することは確保される。
【００２６】
同時に、本発明によれば、電子署名キーは携帯端末に確実に識別され、携帯端末と電子署名キーとのスムースな接続が実現できる。
【００２７】
本発明の付加の方面及び利点が下記の説明において部分的に表れられ、一部分が下記の説明からより明らかとなり、或は本発明の実行より了解できる。
【図面の簡単な説明】
【００２８】
本発明のこれらのおよび他の態様および利点は、添付図面を参照してなされる以下の説明から明らかになり、より容易に認識される。
【図１】本発明の実施形態1による携帯端末のオーディオインターフェイスと整合するための装置を模式的に示す第一ブロック図である。
【図２】本発明の実施形態1による携帯端末のオーディオインターフェイスと整合するための装置を模式的に示す第二ブロック図である。
【図３】本発明の実施形態1による携帯端末のオーディオインターフェイスと整合するための装置を模式的に示す第三ブロック図である。
【図４】本発明の実施形態1による携帯端末のオーディオインターフェイスと整合するための装置を模式的に示す第四ブロック図である。
【図５】本発明の実施形態1による携帯端末のオーディオインターフェイスと整合するための装置を模式的に示す第五ブロック図である。
【図６】本発明の実施形態1による携帯端末のオーディオインターフェイスと整合するための装置を模式的に示す第六ブロック図である。
【図７】本発明の実施形態1による携帯端末のオーディオインターフェイスと整合するための装置を模式的に示す第七ブロック図である。
【図８】本発明の実施形態1による携帯端末のオーディオインターフェイスと整合するための装置を模式的に示す第八ブロック図である。
【図９】本発明の実施形態1による携帯端末のオーディオインターフェイスと整合するための装置を模式的に示す第九ブロック図である。
【図１０】本発明の実施形態2による携帯端末のオーディオインターフェイスと整合するための装置を模式的に示すブロック図である。
【図１１】本発明の実施形態3による携帯端末のオーディオインターフェイスと整合するための装置を模式的に示すブロック図である。
【図１２】本発明の実施形態4による携帯端末のオーディオインターフェイスと整合するための装置を模式的に示すブロック図である。
【発明を実施するための形態】
【００２９】
以下、本発明の実施の形態を詳細に説明する。前記実施の形態の実例が図面において示されるが、同一の又は類似する符号が相同又は類似の部品或いは相同又は類似の機能を有する部品を表す。以下、図面を参照しながら説明する実施形態が例示性のものであり、本発明を一般に理解するために用いられる。実施形態は、本発明を制限するように解釈されてはならない。
【００３０】
本発明の説明には、用語の「中心」、「縦方向」、「横方向」、「上」、「下」、「前」、「後」、「左」、「右」、「垂直」、「水平」、「頂」、「底」、「内」、「外」などで示した方位、位置関係は、図面に基づいて示された方位あるいは位置関係であり、それは単に本発明の説明を簡単化にするためのものであり、説明された装置又は部品は必ずしも特定の方位を有し特定の方位で構造・操作されることを明示的にも暗示的にも使用されるものではないことを理解すべきである。また、「第１」及び「第２」という用語は単に説明のためのみに用いられ、相対的な重要性若しくは数量若しくは位置に明示的にも暗示的にも関連づけられ使用されるものではない。さらに、「第一端子」、「第二端子」は単に端子を区別するためのものであり、端子の位置を限定するためのものではない。
【００３１】
本発明において、別途、明確に限定した場合を除く、「取付」、「繋がり」、「接続」などの用語を広義に理解すべきである。例えば、固定な接続でもよいし、取外し可能な接続でもよいし、一体でもよい。また、机械的な接続でもよいし、電気接続でもよい。また、直接の繋がりでもよいし、ものを介する間接の繋がりでもよいし、二つの部品の内部の連通を表してもよい。本分野の技術者は、具体的な状況によって本発明における上記用語の意味を理解できる。
【００３２】
以下、図面を参照しながら本発明の実施形態によるオーディオインターフェイスと整合するための装置を説明する。
【００３３】
本発明の実施形態によるオーディオインターフェイスと整合するための装置において、オーディオインターフェイスは第一〜第四端子を含む。本発明の具体的な例示では、オーディオインターフェイスにおける第三と第四端子に対し、次のように定義づけられている。オーディオインターフェイスにおける第三端子とは、オーディオ出力端子の一方であり、即ち左チャンネル出力端子と右チャンネル出力端子の中の一方である。第四端子はオーディオ出力端子の中の他方であり、即ち左チャンネル出力端子と右チャンネル出力端子の他方である。第一端子はマイク端子MICとグランド端子GNDの中の一方であり、第二端子はマイク端子MICとグランド端子GNDの中の他方である。
［実施形態１］
【００３４】
図１は本発明の実施形態1による携帯端末のオーディオインターフェイスと整合するための装置を模式的に示すブロック図である。図1に示したように、携帯端末のオーディオインターフェイスと整合するための装置はオーディオインターフェイス、第一回路及び第二回路を含む。
オーディオインターフェイスの第三端子は第一回路を介し第一端子に接続し、第三端子はさらに第二回路を介し第二端子に接続する。第三端子はシングルチャンネルのオーディオ出力端子又はマルチチャンネルのオーディオ出力端子の中の一方である。
【００３５】
第一回路は第一の一方向導通モジュールを含み、第二回路は第二の一方向導通モジュールを含む。第一の一方向導通モジュールの電流の方向は第一端子へと流れ、第二の一方向導通モジュールの電流の方向は第二端子へと流れる。第一の一方向導通モジュールが導通するとき、第三端子と第一端子とで回線を形成し、該回線のインピーダンスが携帯端末の識別抵抗と整合する。第二の一方向導通モジュールが導通するとき、第三端子と第二端子とで回線を形成し、該回線のインピーダンスが携帯端末の識別抵抗と整合する。
【００３６】
本発明の実施形態において、携帯端末の識別抵抗は通常8、16、又は32Ωである。
オーディオインターフェイスのオーディオ出力端子（シングルチャンネル又はマルチチャンネルにおける左チャンネル端子及び/或いは右チャンネル端子）とグランド端子の回線抵抗が携帯端末の識別抵抗と整合しているため、携帯端末においてオーディオ信号をオーディオ信号受信機へと伝送することができる。
【００３７】
上記のように、オーディオ信号受信機（例えばイヤホン、ヘッドホン、電子署名キー等）はいかなるタイプのオーディオインターフェイスを備える携帯端末に接続でき、携帯端末に正確に検出されるとともに、オーディオインターフェイスのオーディオ出力端子（シングルチャンネル又はマルチチャンネルにおける左チャンネル端子及び/或いは右チャンネル端子）を介しオーディオ信号を正常に受信することができる。
【００３８】
第一の一方向導通モジュール及び第二の一方向導通モジュールはダイオード、トランジスター又はMOS型トランジスタを含むが、これらに限られない。例えば、第一の一方向導通モジュールがダイオードである場合、ダイオードのアノード側は第三端子に接続すると同時に、カソード側は第一端子に接続する。
【００３９】
当然ながら、第一回路はさらに第一の一方向導通モジュールに接続する第一整合モジュールを含んでもよい。第二回路はさらに第二の一方向導通モジュールに接続する第二整合モジュールを含んでもよい。
【００４０】
第一整合モジュール及び第二整合モジュールは抵抗、スピーカー、変圧器、並列の抵抗および比較器または並列の抵抗および演算増幅器から構成されてもよい。
【００４１】
図2に示したように、第一回路は順番に接続する第一整合モジュールと一方向導通モジュールとを含み、第一整合モジュールは抵抗を用い、一方向導通モジュールはダイオードを用いる。
図3に示したように、整合モジュールはスピーカーを用い、一方向導通モジュールはダイオードを用いる。
図4に示したように、整合モジュールは変圧器を用い、一方向導通モジュールはダイオードを用いる。
図5に示したように、整合モジュールは並列の抵抗と比較器とを用い、一方向導通モジュールはダイオードを用いる。そのうち、比較器の代わりに演算増幅器を利用してもよい。
図6に示したように、整合モジュールは図2〜図5が示した回路のいずれかの一つを用い、一方向導通モジュールはPNP型トランジスタを用いる。
図7に示したように、整合モジュールは図2〜図5が示した回路のいずれかの一つを用い、一方向導通モジュールはNPN型トランジスタを用いる。
図8に示したように、整合モジュールは図2〜図5が示した回路のいずれかの一つを用い、一方向導通モジュールはNチャンネルMOSトランジスタを用いる。
図9に示したように、整合モジュールは図2〜図5が示した回路のいずれかの一つを用い、一方向導通モジュールはPチャンネルMOSトランジスタを用いる。
【００４２】
当然ながら、第一回路において順番に接続する整合モジュールと一方向導通モジュールとの位置が交換することができる。
当然ながら、第二回路は第一回路と同様な回路を用いてもよい、異なる回路を用いてもよい。例えば、第一回路は抵抗とダイオードとを用いて一方向導通機能を果し、第二回路はスピーカーとトランジスタとを用いて一方向導通機能を果す。
［実施形態2］
【００４３】
図10は本発明の実施形態2による携帯端末のオーディオインターフェイスと整合するための装置を模式的に示すブロック図を提示している。図10に示したように、本発明の実施形態による携帯端末のオーディオインターフェイスと整合するための装置において、オーディオインターフェイスの第四端子は第三回路を介し前記第一端子に接続し、第四端子はさらに第四回路を介し第二端子に接続し、前記第四端子はマルチチャンネルのオーディオ出力端子の中の他方である。
【００４４】
第三回路は第三の一方向導通モジュールを含み、第四回路は第四の一方向導通モジュールを含む。前記第三の一方向導通モジュールの電流の方向は第一端子へと流れ、前記第四の一方向導通モジュールの電流の方向は第二端子へと流れる。第三の一方向導通モジュールが導通するとき、第四端子と第一端子とで回線を形成し、前記回線のインピーダンスが携帯端末の識別抵抗と整合する。第四の一方向導通モジュールが導通するとき、第四端子と第二端子とで回線を形成し、前記回線のインピーダンスが携帯端末の識別抵抗と整合する。
【００４５】
携帯端末よりオーディオ信号受信機へと送信されるオーディオ信号は、一つの線路のみを介し送信することができるため、選択的に第三端子又は第四端子を用いて送信される。
第三の一方向導通モジュールと第四の一方向導通モジュールはダイオード、トランジスター又はMOS型トランジスタを含むが、これらに限られない。例えば、第三の一方向導通モジュールがダイオードである場合、ダイオードのアノード側は第四端子に接続すると同時に、カソード側は第二端子に接続する。
【００４６】
当然ながら、第三回路はさらに第三の一方向導通モジュールに接続する第三整合モジュールを含むこともできる。第四回路はさらに第四の一方向導通モジュールに接続する第四整合モジュールを含むこともできる。
当然ながら、本実施形態に係る第三回路と第四回路は、実施形態1に係る第一回路と同様な構造を用いてもよい。第三回路と第四回路とは同様な構造又は異なる構造を用いて一方向導通機能を果すこともできる。
［実施形態3］
【００４７】
図11は本発明の実施形態3による携帯端末のオーディオインターフェイスと整合するための装置を模式的に示すブロック図を提示している。図11に示したように、本実施形態と実施形態1との相違は、携帯端末のオーディオインターフェイスと整合するための装置はさらに第一整合回路を含むことである。
【００４８】
オーディオインターフェイスの第三端子は第一整合回路を介し第一回路と第二回路とそれぞれに接続し、前記第三端子はシングルチャンネルのオーディオ出力端子又はマルチチャンネルのオーディオ出力端子の中の一方である。
【００４９】
第一の一方向導通モジュールが導通するとき、第三端子と第一端子とで回線を形成し、前記回線のインピーダンスが携帯端末の識別抵抗と整合する。第二の一方向導通モジュールが導通するとき、第三端子と第二端子とで回線を形成し、前記回線のインピーダンスが携帯端末の識別抵抗と整合する。
【００５０】
この場合、整合回路によれば、第一回路又は第二回路が携帯端末の識別抵抗に達することができないとき、更に整合回路と第一回路又は第二回路とを組み合わせることにより、携帯端末の識別抵抗と整合させる。
【００５１】
第一整合回路は抵抗、スピーカー、変圧器、並列の抵抗および比較器または並列の抵抗および演算増幅器から構成されてもよい。
［実施形態4］
【００５２】
図12は本発明の実施形態4による携帯端末のオーディオインターフェイスと整合するための装置を模式的に示すブロック図を提示している。図12に示したように、本実施形態は実施形態3をもとにし、オーディオインターフェイスの第四端子を第二整合回路を介し第一回路と第二回路とそれぞれに接続させる。前記第四端子はマルチチャンネルのオーディオ出力端子の他方である。
【００５３】
この場合、整合回路を介し、第一回路又は第二回路が携帯端末の識別抵抗に達することができないとき、更に整合回路と第一回路又は第二回路とを結合させることにより、携帯端末の識別抵抗と整合させる。
【００５４】
本実施形態において、第二整合回路は抵抗、スピーカー、変圧器、並列の抵抗および比較器または並列の抵抗および演算増幅器から構成されてもよい。
【００５５】
当然ながら、第一整合回路と第二整合回路とは異なる回路を用いてもよいが、インピーダンスが等しいのは望ましい。これにより、第三端子と第四端子とを利用してオーディオ信号を送信するとき、携帯端末はそのオーディオインターフェイスに接続するイヤホン、ヘッドホン、電子署名キーなどのオーディオ信号受信機を確実に識別することができる。
【００５６】
更に選択的には、本発明の第一端子と第二端子との間は双方向導通部品例えば抵抗Rを介し接続する。上記双方向導通部品の抵抗範囲は7.7ＫΩ~15ＫΩであり、普通は10ＫΩ、12ＫΩ又は15ＫΩである。
【００５７】
第一端子と第二端子との間に双方向導通部品（例えば、抵抗）を介し接続する場合、本発明に係るオーディオ信号受信機は携帯端末によりマイク端子を検出・識別される。
【００５８】
当然ながら、上記実施形態において、オーディオインターフェイスはいずれか一種の四極イヤホンプラグ又はジャックであってもよい。例えば直径3.5mm又は2.5mmのイヤホンプラグ又はジャックである。
【００５９】
上記実施形態において、一方向導通モジュールに使われるダイオードはゲルマニウムダイオードであってもよい。
上記実施形態において、一方向導通モジュールは単一チップ例えばBAT54シリーズに統合されることもできる。
上記実施形態において、オーディオインターフェイスがイヤホンプラグである場合、本発明に係るオーディオ信号受信機を直接オーディオ信号送信機（例えば、スマートフォン）のイヤホンジャックに挿入することができる。オーディオインターフェイスがイヤホンジャックである場合、両端がイヤホンプラグを備えるパッチコードを用いてスマートフォンのイヤホンジャックに挿入する。
【００６０】
上記実施形態において、携帯端末のオーディオインターフェイスと整合するための装置のオーディオ信号受信機はイヤホン、ヘッドホン、スピーカー、電子署名キー等である。
上記の携帯端末は携帯電話であってもよい。
【００６１】
上記の実施形態に基づき、本発明に係る携帯端末のオーディオインターフェイスと整合するための装置のオーディオ信号受信機を用いて携帯端末に接続するとき、携帯端末のオーディオインターフェイスの第一端子と第二端子はどのようなタイプであっても、オーディオ信号受信機は携帯端末送信機のシングルチャンネルのオーディオ出力端子とマルチチャンネルの第三端子及び／又は第四端子に対する検出、識別に適し、しかも正常にオーディオ出力端子を用いてオーディオ信号を受信・処理する。
［実施形態５］
【００６２】
本発明は更に携帯端末のオーディオインターフェイスと整合するための方法を提供する。当該方法は、
電流の方向が第一端子に流れる第一の一方向導通モジュールを含む第一回路を介して、第三端子を第一端子に接続するステップと、
電流の方向が第二端子に流れる第二の一方向導通モジュールを含む第二回路を介して、第三端子を第二端子に接続するステップと、
第三端子と第一端子とで携帯端末の識別抵抗と整合するインピーダンスを有する第一回線を形成するように、第一の一方向導通モジュールをオンにするステップと、
第三端子と第二端子とで携帯端末の識別抵抗と整合するインピーダンスを有する第二回線を形成するように、第二の一方向導通モジュールをオンにするステップとを含む。
【００６３】
そのうち、第三端子はシングルチャンネルのオーディオ出力端子又はマルチチャンネルのオーディオ出力端子の一方である。第一端子はマイク端子とグランド端子の中の一方であり、第二端子はマイク端子とグランド端子の中の他方である。
【００６４】
上記方法は、
電流の方向が前記第一端子に流れる第三の一方向導通モジュールを含む第三回路を介して、前記第四端子を前記第一端子に接続するステップと、
電流の方向が前記第二端子に流れる第四の一方向導通モジュールを含む第四回路を介して、前記第四端子を前記第二端子に接続するステップと、
前記第四端子と前記第一端子とで携帯端末の識別抵抗と整合するインピーダンスを有する第五回線を形成するように、前記第三の一方向導通モジュールをオンにするステップと、
前記第四端子と前記第二端子とで携帯端末の識別抵抗と整合するインピーダンスを有する第六回線を形成するように、前記第四の一方向導通モジュールをオンにするステップとを更に含む。
そのうち、第四端子はマルチチャンネルのオーディオ出力端子の他方である。
【００６５】
当然ながら、本実施形態において、更に第三端子を第一整合回路を介し第一回路と第二回路とそれぞれに接続することもできる。第一の一方向導通モジュールが導通するとき、第三端子と第一端子とで回線を形成し、回線のインピーダンスが携帯端末の識別抵抗と整合する。第二の一方向導通モジュールが導通するとき、第三端子と第二端子とで回線を形成し、回線のインピーダンスが携帯端末の識別抵抗と整合する。
【００６６】
当然ながら、本実施形態において、更に第四端子を第二整合回路を介し第一回路と第二回路とそれぞれに接続することもできる。第一の一方向導通モジュールが導通するとき、第四端子と第三端子と同時にそれぞれに第一端子とで回線を形成し、いずれの回線のインピーダンスが携帯端末の識別抵抗と整合する。第二の一方向導通モジュールが導通するとき、第四端子と第三端子と同時にそれぞれに第二端子とで回線を形成し、いずれの回線のインピーダンスが携帯端末の識別抵抗と整合する。
【００６７】
また、第一整合回路と第二整合回路は抵抗、スピーカー、変圧器、並列の抵抗および比較器または並列の抵抗および演算増幅器を含む。
【００６８】
また、第一〜第四の一方向導通モジュールはダイオード、トランジスター又はMOS型トランジスタを含む。
【００６９】
また、第一回路は第一の一方向導通モジュールに接続する第一整合モジュールをさらに含む。第二回路は第二の一方向導通モジュールに接続する第二整合モジュールをさらに含む。第三回路は第三の一方向導通モジュールに接続する第三整合モジュールをさらに含む。第四回路は第四の一方向導通モジュールに接続するする第四整合モジュールをさらに含む。
【００７０】
また、第一〜第四整合モジュールは抵抗、スピーカー、変圧器、並列の抵抗および比較器または並列の抵抗および演算増幅器を含む。
【００７１】
また、オーディオインターフェイスにおける第一端子と第二端子との間に双方向導通部品を介し接続される。
【００７２】
そのうち、第一回路と第二回路とは同様な又は異なる構造を用いることができる。第三回路と第四回路とは同様な又は異なる構造を用いることができる。
第一整合回路と第二整合回路とは同様な又は異なる構造を用いることができる。
［実施形態６］
【００７３】
本発明は更に、上記実施形態に係る携帯端末のオーディオインターフェイスと整合するための装置を含む電子署名キーを提供する。
【００７４】
本明細書の説明において、用語の「一つの実施形態」、「一部の実施形態」、「例示」、「具体的な例示」、又は「一部の例示」等の言葉とは、当該実施形態又は例示と合わせて説明された具体的な特徴、構成、材料又は特性が本発明の少なくとも一つの実施形態又は例示に含まれることを意味する。本明細書において、上記の用語の概略表現は必ずしも同じ実施形態又は例示を指さず、且つ、任意の一つ又は幾つの実施形態や例示において、説明された具体的な特徴、構成、材料又は特性を適当な方法で組み合わせることもできる。
【００７５】
上本発明の実施形態を示して説明したが、当業者にとって理解できるのは、本発明の原理と要旨から逸脱しない範囲で、これらの実施形態に対し様々な変更、修正、置換および変形をすることができる。本発明の技術範囲は、特許請求の範囲及びその均等構成を基準にする。
【図１】
0005800346.tif 000002
【図２】
0005800346.tif 000003
【図３】
0005800346.tif 000004
【図４】
0005800346.tif 000005
【図５】
0005800346.tif 000006
【図６】
0005800346.tif 000007
【図７】
0005800346.tif 000008
【図８】
0005800346.tif 000009
【図９】
0005800346.tif 000010
【図１０】
0005800346.tif 000011
【図１１】
0005800346.tif 000012
【図１２】
0005800346.tif 000013